(57)【要約】【課題】使用者が指定した通行経路の情報を適切に提示することができる情報提示システムを提供する。【解決手段】プローブ端末３０は、プローブデータとして、少なくともプローブ端末保有者の現在位置と、当該プローブ端末を保有するプローブ端末保有者の生体情報とを取得し、これを情報記憶装置２０へ送信する。情報記憶装置２０は、プローブ端末３０が送信したプローブデータを記憶部２１に記憶する。また、情報記憶装置２０は、情報提示装置１０からの情報提示要求に応じて、記憶部２１に記憶したプローブデータを情報提示装置１０へ送信する。情報提示装置１０は、情報提示要求を情報記憶装置２０へ送信し、これを受けて情報記憶装置２０が送信したプローブデータに基づいて生体情報マップを作成する。そして、情報提示装置１０は、作成した生体情報マップを表示部１３に表示する。【選択図】      図１
2014203357.tif 000002
【特許請求の範囲】
【請求項１】
通行経路の情報を提示する情報提示システムであって、
少なくとも情報提示対象の使用者及び当該使用者とは異なる人物の少なくとも一方が各通行経路を通行したときに計測した生体情報と、当該生体情報を計測した通行経路の位置情報とを定期的に取得し、前記生体情報と当該生体情報を計測した通行経路とを対応付けた生体情報データベースを作成し、当該生体情報データベースを用いて前記使用者が指定した通行経路の情報を提示することを特徴とする情報提示システム。
【請求項２】
通行経路の情報を提示する情報提示システムであって、
使用者の使用端末である情報提示装置と、前記使用者及び前記使用者とは異なる人物の少なくとも一方が保有するプローブ端末と、前記情報提示装置と前記プローブ端末との間でデータ通信可能な情報管理装置と、を備え、
前記プローブ端末は、
プローブデータとして、少なくとも当該プローブ端末を保有するプローブ端末保有者の位置情報と、前記プローブ端末保有者の生体情報とを取得するプローブデータ取得部と、
前記プローブデータ取得部で取得したプローブデータを、前記情報管理装置へ送信する取得情報送信部と、を備え、
前記情報管理装置は、
前記取得情報送信部が送信した前記プローブデータを受信し、当該プローブデータを記憶する記憶部と、
前記情報提示装置からの情報提示要求に応じて、前記記憶部に記憶した前記プローブデータを取得し、これを前記情報提示装置へ送信する記憶情報送信部と、を備え、
前記情報提示装置は、
前記使用者が入力した前記情報提示要求を前記情報管理装置へ送信する情報提示要求送信部と、
前記情報提示要求を受けて前記記憶情報送信部が送信した前記プローブデータを受信し、当該プローブデータに基づいて、前記情報提示要求に適合した通行経路と当該通行経路を通行したときの生体情報とを対応付けた生体情報マップを作成するマップ作成部と、
前記マップ作成部で作成した生体情報マップを表示する表示部と、を備えることを特徴とする情報提示システム。
【請求項３】
前記生体情報は、血圧、心拍数、脈拍数、呼吸数、体温、顔画像の少なくとも１つであることを特徴とする請求項２に記載の情報提示システム。
【請求項４】
前記プローブデータ取得部は、前記プローブデータとして、前記プローブ端末保有者の行動傾向を特定する指標である属性情報をさらに取得することを特徴とする請求項２又は３に記載の情報提示システム。
【請求項５】
前記情報提示装置は、
前記使用者の行動傾向を特定する指標である属性情報を取得する使用者属性情報取得部をさらに備えることを特徴とする請求項４に記載の情報提示システム。
【請求項６】
前記属性情報は、性別、年齢、職業、在籍地、通行手段、運転経験、道路種別、時間、天候の少なくとも１つであることを特徴とする請求項４又は５に記載の情報提示システム。
【請求項７】
前記情報提示要求は、前記記憶情報送信部が前記記憶部から取得するプローブデータを、前記位置情報、前記生体情報、及び前記属性情報の少なくとも１つによって絞り込むためのフィルタリング条件を含むことを特徴とする請求項４〜６の何れか１項に記載の情報提示システム。
【請求項８】
前記フィルタリング条件は、前記記憶情報送信部が前記記憶部から取得するプローブデータを、前記使用者属性取得部で取得した前記使用者の属性情報と同一の属性情報を有するプローブ端末保有者の生体情報に絞り込むための条件であることを特徴とする請求項７に記載の情報提示システム。
【請求項９】
前記フィルタリング条件は、前記記憶情報送信部が前記記憶部から取得するプローブデータを、前記使用者属性取得部で取得した前記使用者の属性情報とは異なる属性情報を有するプローブ端末保有者の生体情報に絞り込むための条件であることを特徴とする請求項７に記載の情報提示システム。
【請求項１０】
通行経路の情報を提示する情報提示システムであって、
少なくとも情報提示対象の使用者及び当該使用者とは異なる人物の少なくとも一方が各通行経路を通行したときに計測した生体情報と、当該生体情報を計測した通行経路の位置情報とを定期的に取得し、前記生体情報と当該生体情報を計測した通行経路とを対応付けた生体情報データベースを作成し、当該生体情報データベースを用いて通行経路の情報を提示することを特徴とする情報提示システム。
【発明の詳細な説明】
【技術分野】
【０００１】
本発明は、使用者が指定した通行経路の情報を提示する情報提示システムに関する。
【背景技術】
【０００２】
従来、目的地までの経路を探索し運転者に提供する経路探索装置として、例えば特許文献１に記載の技術がある。この技術は、プローブカーから収集したプローブデータ、特にストレス情報をもとに、当該プローブカーが通行している通行経路の快適度を決定し、決定した快適度を通行経路と共に表示するものである。
【先行技術文献】
【特許文献】
【０００３】
【特許文献１】特許第４７４８３８９号公報
【発明の概要】
【発明が解決しようとする課題】
【０００４】
しかしながら、上記特許文献１に記載の技術にあっては、プローブカーが経路上にいない時間や場所では、プローブデータが得られないリンクが存在する。そのため、現在プローブカーが存在していない通行経路の情報を、情報提示対象の使用者が情報提示してほしい情報として指定した場合には、情報提示を適切に行うことができない。
そこで、本発明は、使用者が指定した通行経路の情報を適切に提示することができる情報提示システムを提供することを課題としている。
【課題を解決するための手段】
【０００５】
上記課題を解決するために、本発明の一態様は、少なくとも情報提示対象の使用者及び当該使用者とは異なる人物の少なくとも一方が各通行経路を通行したときに計測した生体情報と、当該生体情報を計測した通行経路の位置情報とを定期的に取得する。そして、前記生体情報と当該生体情報を計測した通行経路とを対応付けた生体情報データベースを作成し、当該生体情報データベースを用いて使用者が指定した通行経路の情報を提示する。
【発明の効果】
【０００６】
本発明によれば、過去にプローブ端末保有者が通行経路を通行したときの生体情報を蓄積した生体情報データベースを用いて、情報提示対象の使用者が指定した通行経路の情報を提示する。そのため、現在プローブカーが走行していない経路の情報を、使用者が情報提示してほしい情報として指定した場合であっても、その通行経路の情報を適切に提示することができる。
【図面の簡単な説明】
【０００７】
【図１】本実施形態に係る情報提示システムの概略構成図である。
【図２】記憶部に記憶している生体情報データベースの一例を示す図である。
【図３】情報提示処理手順を示すフローチャートである。
【図４】生体情報取得処理手順を示すフローチャートである。
【図５】生体情報マップの表示例を示す図である。
【図６】生体情報マップの表示例を示す図である。
【発明を実施するための形態】
【０００８】
以下、本発明の実施の形態を図面に基づいて説明する。
（第１の実施の形態）
（構成）
図１は、本実施形態に係る情報提示システムの概略構成図である。
図中、符号１は情報提示システムであり、情報提示装置１０と、車外の情報記憶装置（情報管理装置）２０と、プローブ端末３０とを備える。情報提示装置１０と情報記憶装置２０とは通信ネットワーク等を介してデータ通信が可能となっている。また、情報記憶装置２０とプローブ端末３０も通信ネットワーク等を介してデータ通信が可能となっている。
【０００９】
情報提示装置１０は、車両に搭載したナビゲーション装置であり、使用者（ここでは、車両の乗員）に対して、通行経路の情報を提示する。
なお、ここでは、情報提示装置１０を車両に搭載した場合について説明するが、例えば携帯電話に内蔵することもできる。この場合、使用者は歩行者であってもよい。また、使用者はこの他に、自転車に乗った人物やバスの乗員でもよい。
この情報提示装置１０は、入力部１１と、処理部１２と、表示部１３と、送受信部１４とを備える。
【００１０】
入力部１１は、キーボードやリモコン、タッチスイッチ等を用いて使用者が入力した情報（情報提示要求）を取得する。入力部１１は、取得した情報を処理部１２へ送信する。
処理部１２は、入力部１１から情報提示要求を受信すると、当該情報提示要求に応じた情報提示を行うための情報提示処理を実施する。この情報提示処理では、処理部１２は、情報記憶装置２０に記憶した情報をもとに、表示部１３で表示するための表示情報を作成する。この情報提示処理については後述する。
【００１１】
表示部１３は、処理部１２が送信した表示情報を表示画面に表示する。
送受信部１４は、情報記憶装置２０が備える送受信部２２との間でデータを送受信する。情報記憶装置２０に対して送信するデータとしては、上述した情報提示要求がある。また、情報記憶装置２０から受信するデータとしては、後述する情報記憶装置２０の記憶部２１に記憶した情報がある。
【００１２】
属性情報記憶部１５は、使用者の属性情報を予め記憶する。属性情報には、人物によるものと、人物以外によるものとがある。人物によるものとしては、性別、年齢、職業、在籍地、運転経験（免許取得後の年数、免許取得後の累積運転距離等）がある。人物によらないものとしては、通行手段（徒歩、自転車、バス、電車、車等）、道路種別（一般道／高速道路）、時間（朝・昼・晩）、日種（曜日、平日／休日、大型連休等）、天候、路面状態がある。
【００１３】
人物による属性については、所定の分類ルールに則って分類しておくと好適である。例えば、年齢を例に挙げると、年齢３０歳未満の若年層を年齢分類Ａ、３０歳以上５０歳未満を年齢分類Ｂ、５０歳以上６５歳未満を年齢分類Ｃ、６５歳以上の高齢者層を年齢分類Ｄに分ける。
また、個々の人物を属性で分類する際、複数の属性を組み合わせて分類するようにしてもよい。例えば、上記の年齢による分類に、行動範囲の違いが反映される可能性のある性別を加味してもよい。この場合、３０歳未満の男性、３０歳未満の女性、３０歳以上５０歳未満の男性、３０歳以上５０歳未満の女性、…といった分類方法となる。
【００１４】
本実施形態では、同一属性分類内における人物の行動傾向が、基本的に似たものになることを利用し、使用者に適合した情報提供を行う場合に、この属性情報を用いるものとする。なお、これらの分類を組み合わせた情報は、使用者ＩＤのような形式で持っておくと、取得する際に簡便で好適である。
情報記憶装置２０は、記憶部２１と、送受信部２２と、処理部２３と、受信部２４とを備える。
【００１５】
記憶部２１は、プローブ端末３０を保有する人物（プローブ端末保有者）の生体情報を、経路特定情報とプローブ端末保有者の属性情報とに対応付けた生体情報データベースを記憶している。ここで、プローブ端末３０を保有するプローブ端末保有者は、情報提示装置１０の使用者及び当該使用者とは異なる人物の少なくとも一方である。また、生体情報とは、血圧、心拍数、脈拍数、呼吸数、体温、顔画像等である。また、経路特定情報とは、通行経路を特定するための情報であり、交差点情報、ノード情報、リンク情報がある。ノード情報とは、経路上の一地点に関する情報であり、ノード間を接続するものをリンクと呼ぶ。本実施形態では、複数のノード列のそれぞれの間をリンクで接続することによって経路を表現するものとする。
【００１６】
この記憶部２１は、例えば図２に示すように、生体情報を、属性毎に分類したうえで、さらにノード間を結ぶリンク（走行区間）毎に分類して記憶する。なお、図２において、ノードＡとノードＢとを結ぶリンクを走行区間（Ａ→Ｂ）と表記している。記憶部２１が走行区間毎に記憶する生体情報は、複数のプローブ端末保有者の生体情報を統計処理したデータであり、例えば平均値を記憶する。
また、生体情報としては測定値を記憶するのではなく、生体情報に予め区分を設定し、区分に応じた数値を記憶するようにしてもよい。例えば、収縮期血圧の場合、１２０未満が区分Ａ、１２０以上１４５未満が区分Ｂ、１４５以上が区分Ｃと規定しておき、これらの区分を点数化しておく。そして、その点数を統計処理し、記憶部２１に記憶するようにする。
【００１７】
さらに、この記憶部２１は、走行区間毎に、生体情報を記憶してからの経過時間についても記憶しておくものとする。
送受信部２２は、上述したように、情報提示装置１０が備える送受信部１４との間でデータを送受信する。
処理部２３は、送受信部２２を介して情報提示装置１０から情報提供要求を入力したとき、その情報提供要求に応じた生体情報を記憶部２１から取得する。そして、取得した生体情報を情報提示装置１０に送信するための指令を送受信部２２に送信する。また、処理部２３は、後述する受信部２４を介してプローブ端末３０からプローブ端末保有者の生体情報及び属性情報を受信したとき、その生体情報及び属性情報を記憶部２１に記憶する。これらの処理部２３で実行する生体情報取得処理については後述する。
【００１８】
受信部２４は、プローブ端末３０が備える送信部３１が送信するデータを受信する。プローブ端末３０からは、プローブ端末保有者の生体情報及び属性情報を受信するようになっている。
プローブ端末３０は、送信部３１と、位置情報取得部３２と、生体情報取得部３３と、属性情報取得部３４と、処理部３５とを備える。
送信部３１は、上述したように、情報記憶装置２０が備える受信部２４に対してデータを送信する。
【００１９】
位置情報取得部３２は、プローブ端末３０の現在地の情報を定期的に取得し、処理部３４に送信する。現在地の情報とは、現在地の名称、住所、座標等であり、例えばＧＰＳ（Global Positioning System）受信装置で計測する。また、プローブ端末３０が携帯電話である場合には、基地局との位置関係から現在地を推定することもできる。さらに、プローブ端末３０を車両に搭載している場合には、車載の車輪速センサ、地磁気センサ、ジャイロセンサ等の各種センサで計測したデータから現在地を求めることもできる。
【００２０】
生体情報取得部３３は、プローブ端末保有者の生体情報を、位置情報取得部３２の現在地情報取得処理と同期して定期的に取得し、処理部３４に送信する。この生体情報取得部３３は、例えば、血圧計、心電図センサ、脈波センサ、呼吸センサ、脳波センサ、温度センサ、撮像装置等から構成する。
属性情報取得部３４は、プローブ端末保有者の属性情報を取得し、これを処理部３４に送信する。
処理部３５は、位置情報取得部３２で取得した現在値の情報と、生体情報取得部３３で取得した生体情報と、属性情報取得部３４で取得した属性情報とを入力し、これらを情報記憶装置２０に送信するための指令を送信部３１に送信する。
【００２１】
（情報提示処理）
次に、情報提示装置１０の処理部１２で実行する情報提示処理について、具体的に説明する。
図３は、処理部１２で実行する情報提示処理手順を示すフローチャートである。この情報提示処理は所定時間毎に繰り返し実行する。
先ずステップＳ１で、処理部１２は、使用者が情報提示要求を入力したか、即ち入力部１１を介して情報提示要求を受信したか否かを判定する。ここで、情報提示要求とは、使用者が情報提示装置１０に対して通行経路の情報提示を求めるものであり、表示部１３に表示する項目を絞り込むための情報（フィルタリング条件）を含む。表示部１３に表示する項目は、属性情報、生体情報、及び表示経路（表示エリア）によって絞り込みが可能となっており、使用者はキーボードや画面入力装置等によりフィルタリング条件を入力（指定）する。これにより、例えば、「男性、３０歳代、自家用車」の「血圧値」を「自車両の走行経路と周辺の主要な通行経路」について表示する等の絞り込みが可能となる。
【００２２】
なお、フィルタリング条件の初期値は、使用者と同一属性の生体情報を、自車両の走行経路について表示するように設定しておき、使用者から特にフィルタリング条件の入力がない場合には、この初期値を用いるものとする。
そして、このステップＳ１で、処理部１２が情報提示要求を入力したと判定した場合にはステップＳ２に移行し、情報提示要求が未入力であると判定した場合には情報提示処理を終了する。
【００２３】
ステップＳ２では、処理部１２は、情報提示要求を送受信部１４に送信し、ステップＳ３に移行する。これにより、送受信部１４から情報記憶装置２０へ情報提示要求を送信することになる。
ステップＳ３では、処理部１２は、情報記憶装置２０が情報提示要求を受けて送信した各通行経路の生体情報を、送受信部１４を介して受信する。このとき受信する生体情報は、情報提示する通行経路（表示経路）を構成する走行区間を特定するためのノード情報に対応付けられた生体情報である。
【００２４】
次にステップＳ４では、処理部１２は、前記ステップＳ３で受信した生体情報を用いて、生体情報マップを作成する。生体情報マップとは、対象となる通行経路を通行したときの生体情報を示すマップであり、先ず、表示部１３に表示する表示経路を構成する各走行区間の生体情報を統計処理する。ここでは、表示経路の平均血圧値の算出や、最大血圧値及び最小血圧値の設定等を行う。次に、統計処理した各表示経路の生体情報を、対応する表示経路と紐付けする。
そして、ステップＳ５では、処理部１２は、前記ステップＳ４で作成した生体情報マップ（表示経路の情報と当該表示経路に対応する生体情報）を表示部１３に送信し、情報提示処理を終了する。これにより、表示部１３に情報提示する通行経路を表示する。このとき、表示部１３には、各通行経路を、それぞれ対応する生体情報と共に表示する。
【００２５】
（生体情報取得処理）
次に、情報記憶装置２０の処理部２３で実行する生体情報取得処理について、具体的に説明する。
図４は、処理部２３で実行する生体情報取得処理手順を示すフローチャートである。この生体情報取得処理は所定時間毎に繰り返し実行する。
先ずステップＳ１１で、処理部２３は、情報提示装置１０から情報提示要求を受信したか否かを判定する。そして、情報提示要求を受信したと判定した場合にはステップＳ１２に移行し、情報提示要求を受信していないと判定した場合には、後述するステップＳ１４に移行する。
【００２６】
ステップＳ１２では、処理部２３は、前記ステップＳ１１で受信した情報提示要求（フィルタリング条件）に応じた通行経路を、地図情報をもとに一般的な経路抽出ロジック（探索ロジック）を用いて探索する。そして、探索したすべての通行経路を表示部１３に表示する表示経路とし、これら表示経路の生体情報を記憶部２１から取得する。
このとき、フィルタリング条件に適合した生体情報を、当該フィルタリング条件に属性情報について取得するようにする。すなわち、情報提示要求に含まれるフィルタリング条件をもとに、記憶部２１から取得するプローブデータを、生体情報、属性情報及び通行経路で絞り込む。
【００２７】
次にステップＳ１３では、処理部２３は、前記ステップＳ１２で記憶部２１から取得した表示経路の生体情報を、当該表示経路を構成する各走行区間を特定するためのノード情報と対応付けて送受信部２２に送信し、生体情報取得処理を終了する。これにより、送受信部２２から情報提示装置１０へ、情報提示要求に応じた表示経路に対応する生体情報を送信することになる。
【００２８】
ステップＳ１４では、処理部２３は、プローブ端末３０からプローブ端末保有者の生体情報及び属性情報を受信したか否かを判定する。そして、生体情報及び属性情報を受信したと判定した場合にはステップＳ１５に移行し、生体情報及び属性情報を受信していないと判定した場合には生体情報取得処理を終了する。
ステップＳ１５では、処理部２３は、前記ステップＳ１４で受信したプローブ端末保有者の生体情報を、併せて受信したプローブ端末３０の現在地の情報及び属性情報をもとに分類する。すなわち、プローブ端末保有者の生体情報が、記憶部２１に記憶している生体情報のどの分類項目（走行区間、属性情報）に当てはまるかを判定する。
【００２９】
そして、記憶部２１から対応する生体情報を読み出し、プローブ端末保有者の生体情報を累積する。すなわち、プローブ端末保有者が図２に示す属性分類Ａに属し、受信したプローブ端末保有者の生体情報が、走行区間（Ａ→Ｂ）を通行したときの情報である場合には、記憶部２１から属性分類Ａの走行区間（Ａ→Ｂ）に対応する生体情報を読み出す。そして、これに受信したプローブ端末保有者の生体情報を加える。
次にステップＳ１６では、処理部２３は、前記ステップＳ１５の累積処理結果を記憶部２１に記憶し、生体情報取得処理を終了する。
【００３０】
（動作）
次に、第１の実施形態の動作について説明する。
プローブ端末３０は、プローブ端末保有者の生体情報を計測し、これを現在位置情報と共に定期的に情報記憶装置２０へ送信する。すると、情報記憶装置２０は、プローブ端末３０が送信したプローブデータを受信し（図４のステップＳ１４でＹｅｓ）、これを走行区間毎に分類し記憶部２１に記憶する（ステップＳ１５、Ｓ１６）。このように、情報記憶装置２０は、複数のプローブ端末３０がそれぞれ送信した、プローブ端末保有者の生体情報を含むプローブデータを記憶部２１に蓄積しておく。そして、情報提示装置１０は、情報記憶装置２０に記憶した生体情報を含むプローブデータをもとに通行経路の情報提示を行う。
【００３１】
情報提示装置１０を搭載した車両の乗員が、ナビゲーション装置を操作して情報提示要求を入力すると、情報提示装置１０は、その情報提示要求を情報記憶装置２０に送信する（図３のステップＳ２）。すると、情報記憶装置２０は、情報提示装置１０が送信した情報提示要求を受信し（図４のステップＳ１１でＹｅｓ）、その情報提示要求に応じた通行経路における各走行区間の生体情報を記憶部２１から取得する（ステップＳ１２）。
【００３２】
例えば、乗員が、自車走行経路と自車両周辺の通行経路とで、自車両が通行したときの自分の生体情報の違い（自分の生体への影響）を確認するために、生体情報マップの提示を求めているものとする。すなわち、乗員が、表示属性として自分と同じ属性を指定し、表示する生体情報として血圧値を指定し、表示経路として自車走行経路と自車両周辺で生体への影響がある通行経路とを指定しているものとする。
【００３３】
この場合、情報記憶装置２０は、先ず自車走行経路と自車両周辺の通行経路を一般的な探索ロジックを用いて探索し、探索したすべての通行経路を構成する各走行区間について、使用者と同一属性の生体情報（ここでは血圧値）を記憶部２１から取得する。次に、取得した血圧値をもとに、自車両周辺の通行経路を通行したときの血圧最大上昇値や平均血圧上昇値を算出する。次に、自車両周辺の通行経路のうち生体への影響がある通行経路を表示経路として選択する。例えば、血圧最大上昇値や平均血圧上昇値が高い順に、生体への影響が大きいと判断する。そして、自車走行経路を含む表示経路の生体情報を、経路特定情報と共に情報提示装置１０に送信する（ステップＳ１３）。
【００３４】
情報提示装置１０は、情報記憶装置２０から情報提示要求に適合した表示経路の生体情報を受信すると（図３のステップＳ３）、その情報を用いて生体情報マップを作成し（ステップＳ４）、これを表示部１３に表示する（ステップＳ５）。表示部１３に表示した生体情報マップは、例えば図５に示すようになる。ここでは、使用者（自車両の乗員）の属性を、性別＝男性、年齢＝３０歳代、交通手段＝自家用車としている。
【００３５】
この図５に示す生体情報マップから、乗員は、現在の走行経路を自車両が走行しているときの自分の生体への影響を認識することができる。また、乗員は、現在の走行経路を自車両が走行しているときの自分の生体への影響と、自車両周辺の通行経路を自車両が走行したときの自分の生体への影響とを比較することができる。
このように、使用者とは異なる人物（プローブ端末保有者）が各通行経路を通行したときに計測した生体情報を、当該生体情報を計測した通行経路と対応付けて蓄積しておく。このとき、プローブ端末保有者の属性情報についても併せて記憶しておく。そして、この蓄積したプローブデータをもとに、生体情報マップを作成し、情報提示する。
【００３６】
生体情報マップを作成する手法としては、自身の生体情報を計測、記憶しておき、以前に通行した走行区間における生体情報を参照する方法がある。ところが、自身で計測、記憶した生体情報のみを用いた場合、これまでに通行したことのない経路については、当該経路を通行したときの生体情報が不明であるため、適切な生体情報マップを作成できない。また、別の手法として、各通行経路上を走行している他車両の生体情報をリアルタイムで取得し、取得した生体情報をもとに生体情報マップを作成する方法もある。ところが、この場合には、車通りの少ない時間帯や場所など、プローブカーが走行していない場合、適切な生体情報マップを作成できない。
【００３７】
これに対して、本実施形態では、これまでに通行したことのない経路や、現在プローブカーが走行していない経路であっても、その経路を通行したときの生体情報を入手し、生体情報マップの作成に用いることができる。したがって、使用者は、見通しが悪いために注意が必要となり血圧が高くなりやすい場所や、車速の高い一般道で煽られること等により心拍数が高くなりやすい場所等の情報を得ることができる。
【００３８】
また、同じ通行経路を通行した場合であっても、年齢や運転経験、時間帯や天候などによって運転者の生体情報は大きく異なる。例えば、高齢者や運転初心者にとっては緊張により血圧が上昇する道路であっても、若者や運転熟練者は全く動じない場合がある。そこで、本実施形態では、プローブ端末保有者の属性情報を取得し、その属性情報と対応付けて生体情報を蓄積する。これにより、自分と似た傾向を持つ人物の生体状態を用いて生体情報マップを作成することができるので、これまでに通行したことのない経路であっても、自分が通行したときの生体への影響を確認することができる。
【００３９】
さらに、表示属性を使用者と同一属性とするのではなく、使用者とは別の属性を表示属性とすることもできる。例えば、乗員が、自車両周辺の所定エリアを通行している自分とは異なる属性を持つ人物の生体情報を確認するために、生体情報マップの提示を求めたものとする。
この場合、情報記憶装置２０は、先ず使用者が指定した所定エリア内の通行経路を一般的な探索ロジックを用いて探索し、探索したすべての通行経路を構成する各走行区間について、使用者が指定した属性の生体情報（例えば血圧値）を記憶部２１から取得する。次に、取得した血圧値をもとに、探索した通行経路を通行したときの血圧最大上昇値や平均血圧上昇値を算出する。次に、探索した通行経路のうち生体への影響がある通行経路を表示経路として選択する。例えば、血圧最大上昇値や平均血圧上昇値が高い順に、生体への影響が大きいと判断する。そして、選択した表示経路の生体情報を、経路特定情報と共に情報提示装置１０に送信する（ステップＳ１３）。
【００４０】
情報提示装置１０は、情報記憶装置２０から情報提示要求に適合した表示経路の生体情報を受信すると（図３のステップＳ３）、その情報を用いて生体情報マップを作成し（ステップＳ４）、これを表示部１３に表示する（ステップＳ５）。表示部１３に表示した生体情報マップは、例えば図６に示すようになる。ここでは、使用者（自車両の乗員）の属性を、性別＝男性、年齢＝３０歳代、交通手段＝自家用車とし、表示属性を、性別＝男女、年齢＝６０歳以上、通行手段＝歩行者としている。
【００４１】
この図６に示す生体情報マップから、乗員は、指定した属性を持つ人物が、指定したエリア内を通行したときの生体情報を確認することができる。例えば、この図６に示すように、高齢の歩行者の最大血圧値が高めである場合には、このエリアは車や歩行者の通行量が多く、高齢の歩行者の血圧が高くなりやすい場所であると判断することができる。このように、交通環境の推定も可能となる。
【００４２】
なお、図１において、送信部３１が取得情報送信部に対応し、位置情報取得部３２、生体情報取得部３３及び属性情報取得部３４がプローブデータ取得部に対応している。また、記憶部２１、受信部２４、及び図４のステップＳ１４〜Ｓ１６が記憶部に対応し、送受信部２２及び図４のステップＳ１１〜Ｓ１３が記憶情報送信部に対応している。
さらに、入力部１１及び図３のステップＳ２が情報提示要求送信部に対応し、属性情報記憶部１５が使用者属性情報取得部に対応している。また、図３のステップＳ３及びＳ４がマップ作成部に対応している。さらに、表示部１３及び図３のステップＳ５が表示部に対応している。
【００４３】
（効果）
第１の実施形態では、以下の効果が得られる。
（１）少なくとも情報提示対象の使用者及び当該使用者とは異なる人物の少なくとも一方（プローブ端末保有者）が各通行経路を通行したときに計測した生体情報と、当該生体情報を計測した通行経路の位置情報とを定期的に取得する。そして、生体情報と当該生体情報を計測した通行経路とを対応付けた生体情報データベースを作成し、当該生体情報データベースを用いて使用者が指定した通行経路の情報を提示する。
【００４４】
このように、これまでにプローブ端末保有者が各通行経路を通行したときの生体情報を蓄積した生体情報データベースを用いて、使用者が指定した通行経路の情報を提示する。そのため、使用者がこれまでに通行したことのない経路や、現在プローブカーが走行していない経路についても、適切に情報提示を行うことができる。また、使用者がプローブ端末保有者である場合、使用者がこれまでに通行したことのある経路については、自身の生体情報を反映した情報提供を行うことができるので、使用者に適合した情報提供が可能となる。
【００４５】
（２）プローブ端末３０は、プローブデータとして、少なくともプローブ端末保有者の現在位置と、当該プローブ端末を保有するプローブ端末保有者の生体情報とを取得する。また、プローブ端末３０は、取得したプローブデータを情報記憶装置２０へ送信する。情報記憶装置２０は、プローブ端末３０が送信したプローブデータを受信し、これを記憶部２１に記憶する。また、情報記憶装置２０は、情報提示装置１０からの情報提示要求に応じて、記憶部２１に記憶したプローブデータを取得し、これを情報提示装置１０へ送信する。情報提示装置１０は、使用者が入力した情報提示要求を情報記憶装置２０へ送信し、これを受けて情報記憶装置２０が送信したプローブデータを受信する。また、情報提示装置１０は、受信したプローブデータに基づいて、情報提示要求に適合した通行経路と当該通行経路を通行したときの生体情報とを対応付けた生体情報マップを作成する。そして、情報提示装置１０は、作成した生体情報マップを表示する。
【００４６】
このように、これまでにプローブ端末保有者が各通行経路を通行したときの生体情報を蓄積しておき、蓄積したプローブデータをもとに生体情報マップを作成し表示する。そのため、使用者がこれまでに通行したことのない経路や、現在プローブカーが走行していない経路についても、その経路を通行したときの生体情報をマップから容易に確認することができる。すなわち、いつ、どの経路についても適切に情報提示を行うことができる。
【００４７】
（３）生体情報は、血圧、心拍数、脈拍数、呼吸数、体温、顔画像の少なくとも１つである。このように、生体情報として、特に緊張状態や弛緩状態（眠気等）の他、肉体的負荷の大小が反映されやすい情報を用いるので、適切な情報提示を行うことができる。
（４）プローブ端末３０は、プローブデータとして、プローブ端末保有者の行動傾向を特定する指標である属性情報を取得する。
これにより、属性情報を用いて生体情報マップを作成することができる。すなわち、同じ経路を通行したときの生体情報の違いを、属性毎に比較することができる。したがって、どの属性で生体への影響が大きいか等、交通環境の推定にも繋がる効果が得られる。
【００４８】
（５）情報提示装置１０は、使用者の行動傾向を特定する指標である属性情報を取得する。これにより、使用者の属性に適合した生体情報マップを適切に作成することができる。
（６）属性情報は、性別、年齢、職業、在籍地、通行手段、運転経験、道路種別、時間、天候の少なくとも１つである。このように、属性情報として、緊張状態や弛緩状態（眠気等）に加えて、特に行動傾向が反映されやすい情報を用いるので、適切な情報提示を行うことができる。
【００４９】
（７）情報提示要求は、情報記憶装置２０の処理部２３が記憶部２１から取得するプローブデータを、生体情報、属性情報、及び通行経路の少なくとも１つによって絞り込むためのフィルタリング条件を含む。これにより、生体情報マップに表示する項目を絞り込むことができる。そのため、より使用者の要求に合った情報提示を行うことができる。
【００５０】
（８）フィルタリング条件は、情報記憶装置２０の処理部２３が記憶部２１から取得するプローブデータを、使用者の属性情報と同一の属性情報を有するプローブ端末保有者の生体情報に絞り込むための条件である。
これにより、使用者と似た傾向を持つ人物の生体状態を用いて生体情報マップを作成することができる。そのため、使用者は、これまでに自分が通行したことのない経路であっても、自分が通行したときの生体への影響を確認することができる。
【００５１】
（９）フィルタリング条件は、情報記憶装置２０の処理部２３が記憶部２１から取得するプローブデータを、使用者の属性情報とは異なる属性情報を有するプローブ端末保有者の生体情報に絞り込むための条件である。
これにより、使用者は、指定した属性を持つ人物が、指定したエリア（通行経路）を通行したときの生体への影響を確認することができる。例えば、自分とは属性の異なる高齢の歩行者を対象とした生体情報マップを確認することができる。そのため、指定したエリア（通行経路）は車や歩行者の通行量が多く、高齢の歩行者の血圧が高くなりやすい場所であるなど、交通環境の推定が可能となる。
【００５２】
（変形例）
（１）上記実施形態では、使用者が指定した通行経路の情報を、各通行経路をそれぞれ対応する生体情報と共に表示する生体情報マップの形態で表示する場合について説明したが、マップを用いない他の形態で通行経路の情報を提示することもできる。
（２）上記実施形態では、情報提示装置１０を車両に搭載し、乗員がこれを使用する場合について説明したが、情報提示装置１０を携帯電話に内蔵すれば、歩行者がこれを使用することもできる。この場合、生体情報マップを取得することで、車の通行量が多く横断歩道を渡る際に注意が必要な交差点や、坂道により心拍数が高くなりやすい場所等の情報を得ることができる。したがって、使用者は、健康状態への悪影響が少ない経路を選択して通行したり、また逆に、運動の効果を上げるための経路を選択して通行したりすることが可能となる。
【００５３】
（３）上記実施形態では、情報提示装置１０が備える属性情報記憶部１５を省略することもできる。この場合、使用者の属性を自動的に取得し、生体情報マップの作成に用いることはできなくなるが、使用者が自分の属性をその都度入力すれば同様の効果が得られる。また更に、プローブ端末３０が備える属性情報取得部３４を省略することもできる。この場合、属性情報を生体情報マップの作成に用いることができなくなるが、全属性の平均的な生体情報マップの作成は可能となるため、効果的である。
【００５４】
（４）上記実施形態では、使用者が指定した通行経路の情報を表示する場合について説明したが、使用者が指定することなく、予め設定された条件に合致する情報（例えば、使用者の周囲の所定範囲内の通行経路の情報）を自動提示するようにしてもよい。
【符号の説明】
【００５５】
１…情報提示システム、１０…情報提示装置、１１…入力部、１２…処理部、１３…表示部、１４…送受信部、１５…属性情報記憶部、２０…情報記憶装置、２１…記憶部、２２…送受信部、２３…処理部、２４…受信部、３０…プローブ端末、３１…送信部、３２…位置情報取得部、３３…生体情報取得部、３４…属性情報取得部、３５…処理部
【図１】
2014203357.tif 000003
【図２】
2014203357.tif 000004
【図３】
2014203357.tif 000005
【図４】
2014203357.tif 000006
【図５】
2014203357.tif 000007
【図６】
2014203357.tif 000008